【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
インクを吐出する複数の吐出口が所定方向に配列された吐出口列を備えた記録ヘッドと、記録媒体と、を前記所定方向と交差する交差方向に相対的に移動させながら前記記録ヘッドからインクを吐出することにより、前記記録媒体に画像を記録する記録装置であって、
前記吐出口から吸引することによってインクを貯留するインクタンクから前記記録ヘッドへインクを供給する吸引手段と、
前記吸引手段によるインクの吸引が行われてからの時間に関する時間情報を取得する第１の取得手段と、
前記第１の取得手段によって取得された前記時間情報の示す時間が前記第１の閾値よりも短くない場合には第１の記録モードで画像を記録するように制御し、前記時間情報の示す時間が前記第１の閾値よりも短い場合には前記第１の記録モードよりも前記記録ヘッドが単位時間当たりに吐出するインクの量が少ない第２の記録モードで画像を記録するように制御する制御手段を有することを特徴とする記録装置。
【請求項２】
前記記録媒体に対するインクの吐出量に関する吐出量情報を取得する第２の取得手段を更に有し、
前記制御手段は、前記第１の取得手段によって取得された前記時間情報と、前記第２の取得手段によって取得された前記吐出量情報と、に基づいて複数の記録モードの中から実行する記録モードを選択し、選択した前記記録モードで画像を記録するように制御することを特徴とする請求項１に記載の記録装置。
【請求項３】
前記制御手段は、（ｉ）前記第１の取得手段によって取得された前記時間情報の示す時間が前記第１の閾値よりも短くない場合に前記第１の記録モードで画像を記録するように制御し、（ｉｉ）前記第１の取得手段によって取得された前記時間情報の示す時間が前記第１の閾値よりも短く、且つ、前記第２の取得手段によって取得された前記吐出量情報の示す吐出量が第２の閾値よりも少ない場合に前記第１の記録モードで画像を記録するように制御し、（ｉｉｉ）前記第１の取得手段によって取得された前記時間情報の示す時間が前記第１の閾値よりも短く、且つ、前記第２の取得手段によって取得された前記吐出量情報の示す吐出量が前記第２の閾値よりも多い場合に前記第２の記録モードで画像を記録するように制御することを特徴とする請求項２に記載の記録装置。
【請求項４】
前記記録ヘッドは、第１の種類のインクを吐出するための複数の前記吐出口が配された第１の前記吐出口列と、前記第１の種類と異なる第２の種類のインクを吐出するための複数の前記吐出口が配された第２の前記吐出口列と、を有し、
前記第２の取得手段は、前記記録媒体に対する前記第１の種類のインクの吐出量と、前記記録媒体に対する前記第２の種類のインクの吐出量と、に関する情報を前記記録媒体に対するインクの吐出量に関する前記吐出量情報として取得し、
前記制御手段は、（ｉ）前記第１の取得手段によって取得された前記時間情報の示す時間が前記第１の閾値よりも長い場合に前記第１の記録モードを選択し、（ｉｉ）前記第１の取得手段によって取得された前記時間情報の示す時間が前記第１の閾値よりも短く、前記第２の取得手段によって取得された前記吐出量情報が示す前記第１の種類のインクの吐出量が第２の閾値よりも少なく、且つ、前記第２の取得手段によって取得された前記吐出量情報が示す前記第２の種類のインクの吐出量が第３の閾値よりも少ない場合に前記第１の記録モードを選択し、（ｉｉｉ）前記第１の取得手段によって取得された前記時間情報の示す時間が前記第１の閾値よりも短く、前記第２の取得手段によって取得された前記吐出量情報が示す前記第１の種類のインクの吐出量が前記第２の閾値よりも多く、且つ、前記第２の取得手段によって取得された前記吐出量情報が示す前記第２の種類のインクの吐出量が前記第３の閾値よりも多い場合に前記第２の記録モードを選択することを特徴とする請求項２に記載の記録装置。
【請求項５】
前記制御手段は、前記第１の取得手段によって取得された前記時間情報の示す時間が前記第１の閾値よりも短く、前記第２の取得手段によって取得された前記吐出量情報が示す前記第１の種類のインクの吐出量が前記第２の閾値よりも少なく、且つ、前記第２の取得手段によって取得された前記吐出量情報が示す前記第２の種類のインクの吐出量が前記第３の閾値よりも多い場合に前記第２の記録モードを選択し、前記第１の取得手段によって取得された前記時間情報の示す時間が前記第１の閾値よりも短く、前記第２の取得手段によって取得された前記吐出量情報が示す前記第１の種類のインクの吐出量が前記第２の閾値よりも多く、且つ、前記第２の取得手段によって取得された前記吐出量情報が示す前記第２の種類のインクの吐出量が前記第３の閾値よりも少ない場合に前記第２の記録モードを選択することを特徴とする請求項４に記載の記録装置。
【請求項６】
前記第３の閾値は、前記第２の閾値よりも小さいことを特徴とする請求項４または５に記載の記録装置。
【請求項７】
前記第１の種類のインク中の所定の界面活性剤の濃度は第１の濃度であり、前記第２の種類のインク中の前記所定の界面活性剤の濃度は前記第１の濃度よりも高い第２の濃度であることを特徴とする請求項６に記載の記録装置。
【請求項８】
前記記録ヘッドは、前記第１の吐出口列内の前記複数の吐出口と前記第１の種類のインクを収納する第１の収納室とを連通する第１の流路と、前記第２の吐出口列内の前記複数の吐出口と前記第２の種類のインクを収納する第２の収納室とを連通する第２の流路と、を更に有し、
前記第１の流路は、前記第２の流路よりも屈曲していることを特徴とする請求項６または７に記載の記録装置。
【請求項９】
前記記録ヘッドは、前記第１の収納室と、前記第２の収納室と、を更に有することを特徴とする請求項８に記載の記録装置。
【請求項１０】
前記記録ヘッドが前記記録媒体上を移動することによって前記記録媒体に画像の記録を行い、
前記制御手段は、前記第２の記録モードで記録を行うときは前記第１の記録モードで記録を行うときよりも記録ヘッドが移動する速度を遅くすることを特徴とする請求項１から９のいずれか１項に記載の記録装置。
【請求項１１】
前記記録ヘッドが前記記録媒体上を移動することによって前記記録媒体に画像の記録を行い、
前記制御手段は、前記第１の記録モードで記録を行うときよりも前記第２の記録モードで記録を行うときは単位領域に対して前記記録ヘッドが移動する回数を多くすることを特徴とする請求項１から１０のいずれか１項に記載の記録装置。
【請求項１２】
前記記録媒体を前記交差方向に搬送する搬送手段を有し、
前記記録ヘッドは前記媒体の幅の長さに亘って配列された前記吐出口を備え、
前記搬送手段によって前記記録媒体を搬送しながら前記記録ヘッドからインクを吐出することによって画像の記録を行い、
前記制御手段は、前記第２の記録モードで記録を行うときは前記第１の記録モードで記録を行うときよりも前記搬送手段による前記記録媒体の搬送速度を遅くすることを特徴とする請求項１から９のいずれか１項に記載の記録装置。
【請求項１３】
インクを吐出する複数の吐出口が所定方向に配列された吐出口列を備えた記録ヘッドと、記録媒体と、を前記所定方向と交差する交差方向に相対的に移動させながら前記記録ヘッドからインクを吐出することにより、前記記録媒体上の複数の単位領域に画像を記録する記録装置であって、
前記吐出口から吸引することによってインクを貯留するインクタンクから前記記録ヘッドへインクを供給する吸引手段と、
前記吸引手段によるインクの吸引が行われてからの時間に関する時間情報を取得する第１の取得手段と、
前記第１の取得手段によって取得された前記時間情報の示す時間が第１の閾値よりも短くない場合には前記記録ヘッドを前記単位領域に対して第１の回数だけ移動させて記録を行う第１の記録モードで画像を記録するように制御し、前記時間情報の示す時間が前記第１の閾値よりも短い場合には前記記録ヘッドを前記単位領域に対して前記第１の回数よりも多い第２の回数だけ移動させて記録を行う第２の記録モードで画像を記録するように制御することを特徴とする記録装置。
【請求項１４】
前記第１の記録モードは、前記記録ヘッドを前記単位領域に対して１回移動させて記録を行う記録モードであることを特徴とする請求項１３に記載の記録装置。
【請求項１５】
前記複数の記録モードの中の１つの記録モードにより前記単位領域への画像の記録を完成させた後に、前記記録ヘッドと前記記録媒体とを前記交差方向と交差する搬送方向に相対的に搬送する搬送手段を更に有し、
前記第１の記録モードは、前記記録ヘッドを前記単位領域に対して前記第１の回数だけ移動させて前記単位領域への画像の記録を完成する記録モードであり、
前記第２の記録モードは、前記記録ヘッドを前記単位領域に対して前記第２の回数だけ移動させて前記単位領域への画像の記録を完成する記録モードであることを特徴とする請求項１３または１４に記載の記録装置。
【請求項１６】
インクを吐出する複数の吐出口が所定方向に配列された吐出口列を備えた記録ヘッドと、記録媒体と、を前記所定方向と交差する交差方向に相対的に移動させながら前記記録ヘッドからインクを吐出することにより、前記記録媒体に画像を記録する記録装置であって、
前記吐出口から吸引することによってインクを貯留するインクタンクから前記記録ヘッドへインクを供給する吸引手段と、
前記吸引手段によるインクの吸引が行われてからの時間に関する時間情報を取得する第１の取得手段と、
前記第１の取得手段によって取得された前記時間情報の示す時間が第１の閾値よりも短くない場合には前記記録ヘッドと前記記録媒体とを第１の速度で相対的に移動させて画像の記録を制御し、前記時間情報の示す時間が前記第１の閾値よりも短い場合には前記記録ヘッドと前記記録媒体とを第１の速度よりも遅い第２の速度で相対的に移動させて画像の記録を制御する制御手段を有することを特徴とする記録装置。
【請求項１７】
前記吸引手段は、第１の吸引圧でインクを吸引する第１の吸引動作と、前記第１の吸引圧よりも高い第２の吸引圧でインクを吸引する第２の吸引動作と、を少なくとも実行し、
前記第１の取得手段は、前記第１、第２の吸引動作のうちの前記第２の吸引動作が実行されてからの時間に関する情報を前記吸引手段によりインクの吸引が行われてからの時間に関する前記時間情報として取得することを特徴とする請求項１から１６のいずれか１項に記載の記録装置。
【請求項１８】
前記吸引手段は、前記記録ヘッドを前記記録装置に装着した後に前記第２の吸引動作を実行することを特徴とする請求項１７に記載の記録装置。
【請求項１９】
前記インクタンクは、前記記録ヘッドと連通しており、
前記吸引手段は、前記インクタンク内のインクの残量が所定量よりも少なくなり、前記インクタンクへのインクの充填が実行された後に前記第２の吸引動作を実行することを特徴とする請求項１７または１８に記載の記録装置。
【請求項２０】
前記インクタンクは、ユーザが、インクが収納されたボトルから前記インクタンクにインクを充填することが可能なように構成されていることを特徴とする請求項１９に記載の記録装置。
【請求項２１】
前記複数の単位領域それぞれの前記所定方向における長さは、前記吐出口列の前記所定方向における長さに対応する長さであることを特徴とする請求項１から２０のいずれか１項に記載の記録装置。
【請求項２２】
前記記録ヘッドが前記記録媒体上を移動しながら前記記録媒体の単位領域に対して画像を記録した後に、前記記録ヘッドと前記記録媒体とを前記交差方向と交差する搬送方向に相対的に搬送する搬送手段を有し、
前記記録ヘッドによる前記単位領域への記録と前記搬送手段による前記記録媒体の搬送によって前記記録媒体上の複数の前記単位領域に画像を記録することを特徴とする請求項１６から２１のいずれか１項に記載の記録装置。
【請求項２３】
前記記録媒体を前記交差方向に搬送する搬送手段を有し、
前記記録ヘッドは前記媒体の幅の長さに亘って配列された前記吐出口を備え、
前記搬送手段によって前記記録媒体を搬送しながら前記記録ヘッドからインクを吐出することによって画像の記録を行うことを特徴とする請求項１６から２１のいずれか１項に記載の記録装置。
【請求項２４】
インクを吐出する複数の吐出口が所定方向に配列された吐出口列を備えた記録ヘッドと、記録媒体と、を前記所定方向と交差する交差方向に相対的に移動させながら前記記録ヘッドからインクを吐出することにより、前記記録媒体に画像を記録する記録方法であって、
前記吐出口から吸引することによってインクを貯留するインクタンクから前記記録ヘッドへインクを供給し、
前記吸引からの時間に応じて、前記吸引が行われてからの時間が第１の閾値よりも短い場合には前記時間が第１の閾値よりも短くない場合よりも前記記録ヘッドが単位時間当たりに吐出するインクの量が少なくなるように画像を記録することを特徴とする記録方法。
【請求項２５】
インクを吐出する複数の吐出口が所定方向に配列された吐出口列を備えた記録ヘッドと、記録媒体と、を前記所定方向と交差する交差方向に相対的に移動させながら前記記録ヘッドからインクを吐出することにより、前記記録媒体上の複数の単位領域に画像を記録する記録方法であって、
前記吐出口から吸引することによってインクを貯留するインクタンクから前記記録ヘッドへインクを供給し、
前記吸引からの時間に応じて、前記吸引が行われてからの時間が第１の閾値よりも短い場合には前記時間が前記第１の閾値よりも短くない場合よりも前記記録ヘッドを前記単位領域に対して多い回数移動させて画像を記録することを特徴とする記録方法。
【請求項２６】
インクを吐出する複数の吐出口が所定方向に配列された吐出口列を備えた記録ヘッドと、記録媒体と、を前記所定方向と交差する交差方向に相対的に移動させながら前記記録ヘッドからインクを吐出することにより、前記記録媒体に画像を記録する記録方法であって、
前記吐出口から吸引することによってインクを貯留するインクタンクから前記記録ヘッドへインクを供給し、
前記吸引からの時間に応じて、前記吸引が行われてからの時間が第１の閾値よりも短い場合には前記時間が前記第１の閾値よりも短くない場合よりも前記記録ヘッドと前記記録媒体とを相対的に移動させる速度を遅くして画像を記録することを特徴とする記録方法。
【手続補正２】
【補正対象書類名】明細書
【補正対象項目名】０００８
【補正方法】変更
【補正の内容】
【０００８】
そこで、本発明は、インクを吐出する複数の吐出口が所定方向に配列された吐出口列を備えた記録ヘッドと、記録媒体と、を前記所定方向と交差する交差方向に相対的に移動させながら前記記録ヘッドからインクを吐出することにより、前記記録媒体に画像を記録する記録装置であって、前記吐出口から吸引することによってインクを貯留するインクタンクから前記記録ヘッドへインクを供給する吸引手段と、前記吸引手段によるインクの吸引が行われてからの時間に関する時間情報を取得する第１の取得手段と、前記第１の取得手段によって取得された前記時間情報の示す時間が前記第１の閾値よりも短くない場合には第１の記録モードで画像を記録するように制御し、前記時間情報の示す時間が前記第１の閾値よりも短い場合には前記第１の記録モードよりも前記記録ヘッドが単位時間当たりに吐出するインクの量が少ない第２の記録モードで画像を記録するように制御する制御手段を有することを特徴とする。